(57)【要約】【課題】痴漢やストーカー、ひったくりなどから危害を受けることのないような安全な逃げ込みスペースが確保されている緊急避難用セキュリティボックスを提供する。【解決手段】緊急避難用セキュリティボックスＡは、屋外に設置され、入出扉２ａを備えたものであって、救急、犯罪などの異常を特定のセキュリティサービスセンターＭに通知する緊急通報手段１ａと、ボックス内の人体の有無を検知する人体検知手段６ａと、入出扉を開閉させるためのオートロック機構を有した扉開閉制御手段ａとを少なくとも備えており、ボックス内に人が入り込んだときには、入出扉を自動で施錠するようにしている。【選択図】図１
2004259192.tif 000002
【特許請求の範囲】
【請求項１】
屋外に設置され、入出扉を備えた緊急避難用セキュリティボックスであって、
救急、犯罪などの異常を特定のセキュリティサービスセンターに通知する緊急通報手段と、
ボックス内の人体の有無を検知する人体検知手段と、
上記入出扉を開閉させるためのオートロック機構を有した扉開閉制御手段とを少なくとも備え、
上記ボックス内に人が入り込んだときには、上記入出扉を自動で施錠するようにしている、緊急避難用セキュリティボックス。
【請求項２】
請求項１において、
上記ボックス内にはキャンセルスイッチを更に備え、
上記ボックス内に人が入り込んだ後、所定時間内にキャンセルスイッチが操作されないときには、上記入出扉を自動で施錠するようにしている、緊急避難用セキュリティボックス。
【請求項３】
請求項１または２において、
上記緊急通報手段は、上記ボックス内に人が入り込んで閉じられた入出扉が施錠されたときには、特定の救急、犯罪に対して応答するセキュリティサービスセンターを自動で呼び出して、ボックス内に入り込んだ人との通話を可能にしている、緊急避難用セキュリティボックス。
【請求項４】
請求項１〜３のいずれかにおいて、
携帯電話機、電子情報機器、電気自動車などのエネルギー補給手段を設置している、緊急避難用セキュリティボックス。
【請求項５】
請求項１〜４のいずれかにおいて、
近隣の商業地図を検索表示する商業ガイド手段を設けている、緊急避難用セキュリティボックス。
【請求項６】
請求項１〜５のいずれかにおいて、
上記入出扉がオートロックされたときには、ボックス外部に設けた警報ランプかつ／または警報音を作動、鳴動させる構成にしている、緊急避難用セキュリティボックス。
【請求項７】
請求項１〜６のいずれかにおいて、
上記入出扉がオートロックされ、更に、上記救急、犯罪などの緊急通報手段が使用されて、特定のサービスセンターが呼び出されたときには、救急、犯罪などの通報先の種別に応じて、上記警報ランプかつ／または警報音の出力態様を変化させる構成にしている、緊急避難用セキュリティボックス。
【請求項８】
請求項１〜７のいずれかにおいて、
ボックスの前後面、両側面のうち少なくとも一面あるいは一部は、強化ガラスで形成されている、緊急避難用セキュリティボックス。
【発明の詳細な説明】
【０００１】
【発明の属する技術分野】
本発明は、屋外に設置される緊急避難用セキュリティボックスに関する。
【０００２】
【従来の技術】
近時、ストーカーや通り魔、痴漢、ひったくりなどによる被害が増加しており、女性や子供、老人が安心して歩ける道路や街の整備が求められている。その対策として、街灯などに警報機能と通報機能を持たせて防犯センターで監視できるようにした防犯灯が一部の地域に設置されている。
この種の街灯ネットワークシステムとして、特許文献１に記載のものがある。
【０００３】
【特許文献１】
特開２０００−２５１５０２号公報
【０００４】
【発明が解決しようとする課題】
ところが、この種の防犯灯では、警報ランプ等でストーカー等を威嚇、撃退することはできるが、警報ランプ等で完全に追い払うことができない場合は、被害者（通報者）は安全な場所まで避難し、警察官が来るまでそこに隠れていなければならず、恐怖感から逃れることはできない。
【０００５】
本発明は、このような問題を解決すべく提案されたもので、その目的は、痴漢やストーカー、ひったくりなどから危害を受けることのないような安全な逃げ込みスペースが確保されている緊急避難用セキュリティボックスを提供することにある。
【０００６】
【課題を解決するための手段】
上記目的を達成するために、請求項１に記載の緊急避難用セキュリティボックスは、屋外に設置され、入出扉を備えた緊急避難用セキュリティボックスであって、救急、犯罪などの異常を特定のサービスセンターに通知する緊急通報手段と、ボックス内の人体の有無を検知する人体検知手段と、入出扉を開閉させるためのオートロック機構を有した扉開閉制御手段とを少なくとも備えており、ボックス内に人が入り込んだときには、入出扉を自動で施錠するようにしている。
【０００７】
すなわち、ストーカーなどに追われている女性などが逃げ込んで身を守れるとともに、即通報が可能な構成となっている。
【０００８】
請求項２では、ボックス内にはキャンセルスイッチを更に備え、ボックス内に人が入り込んだ後、所定時間内にキャンセルスイッチが操作されないときには、上記入出扉を自動で施錠するようにしている。
【０００９】
請求項３では、緊急通報手段は、ボックス内に人が入り込んで閉じられた入出扉が施錠されたときには、特定の救急、犯罪に対して応答するセキュリティサービスセンターを自動で呼び出して、ボックス内に入り込んだ人との通話を可能にしている。
【００１０】
請求項４では、さらに、携帯電話機、電子情報機器、電気自動車などのエネルギー補給手段を設置している。
【００１１】
請求項５では、近隣の商業地図をパソコンなどに検索表示する商業ガイド手段を設けている。
【００１２】
請求項６では、入出扉がオートロックされたときには、ボックス外部に設けた警報ランプかつ／または警報音を作動、鳴動させる構成にしている。すなわち、周辺への報知や犯人に対する威嚇、撃退が可能な構成にしている。
【００１３】
請求項７では、入出扉がオートロックされ、更に、救急、犯罪などの緊急通報手段が使用されて、特定のサービスセンターが呼び出されたときには、救急、犯罪などの通報先の種別に応じて、警報ランプかつ／または警報音の出力態様を変化させる構成にしている。
【００１４】
請求項８では、ボックスの前後面、両側面のうち少なくとも一面あるいは一部は、強化ガラスで形成されている。
【００１５】
【発明の実施の形態】
以下に、本発明の実施の形態について、図面とともに説明する。
【００１６】
図１は、本発明の緊急避難用セキュリティボックスＡの構成例を示す斜視図である。
【００１７】
緊急避難用セキュリティボックスＡは、およそ電話ボックス程度の大きさの直方体で、オートロック式の入出扉２ａ、緊急通報手段を構成するマイク、スピーカ付き通報スイッチ１ａ、ディスプレイ装置（パソコン）３ａ、電子ブザー内蔵の回転式警報ランプ４ａ、人体検知手段を構成する床埋設型の荷重センサー６ａ、照明器具７ａ、簡易イス８ａなどを含んで構成されている。また、入出扉面は強化ガラス５ａで形成されている。
【００１８】
また、ボックス床下にはＣＰＵなどの制御部（扉開閉制御手段ａ）が内蔵されており（パソコンを代用してもよい）、以下に示す緊急避難時の制御シーケンスを実行する。
【００１９】
この緊急避難用セキュリティボックスＡに人が逃げ込んだときには、床の荷重センサー６ａにより人体が検知され、入出扉２ａが自動的に施錠され、その後の外部からの侵入を防止することが可能となる。なお、人体検出は、超音波センサーや赤外線センサー、熱線センサーなどを用いたものであってもよい。
【００２０】
また、ボックスのいずれかの面（図１の例では入出扉面）または窓など一部を強化ガラスで形成すれば、外部が一望でき、閉塞感がなく、かつ犯人に割られる心配もなく、逃げ込んだ者に大きな安心感を与えることができる。
【００２１】
ボックスＡに逃げ込んだ人が通報スイッチ１ａを操作すると、警察、消防署または緊急セキュリティサービスセンター（図７に示す）などに通報され、センター監視員との会話が可能となる一方、警報ランプ４ａが点灯、点滅するとともに電子ブザーによるアラーム音が鳴動する。
【００２２】
図２は、以上の一連の基本動作をフローチャートに示したものである。
【００２３】
制御部は、荷重センサー６ａが動作し、入出扉２ａが閉じられたことを検出して所定時間が経過すると、入出扉２ａをロックし、警報ランプ４ａを点灯させる（１００〜１０３）。その後、通報スイッチ１ａが操作されると、救急、犯罪別の動作を実行する。すなわち、救急の場合は、救急通報（１１９番など）がされるとともに、警報ランプ２ａが青色点滅し、アラーム音が鳴動する（１０５〜１０８）が、犯罪の場合は、犯罪通報（１１０番など）がされるとともに、警報ランプ２ａは赤色点滅し、救急の場合と異なるアラーム音が鳴動する（１０５、１０９〜１１１）。
【００２４】
したがって、このボックスＡは、痴漢等の侵入防止が可能であるとともに、迅速な緊急通報、周辺への報知、犯人の撃退も可能としたものである。緊急事態の種別によって警報ランプの点灯態様を変えているため、周囲では点灯やアラームによりどのような事態であるかを的確に把握することができる。
【００２５】
なお、本実施例では通報スイッチ１ａ操作によりセキュリティサービスセンターに通知するようにしているが、入出扉２ａの自動施錠と同時に自動的にサービスセンターを呼び出すようにしてもよい。
【００２６】
これにより、通報が迅速かつ確実に行える。例えば、操作不可能なほどの怪我を負った人でも、逃げ込んだだけで通報がなされ、確実な救出が行える。
【００２７】
このように、自動で施錠や通報が行われるようにすると、利用者の意思に反する事態にもなりかねないため、そのような事態に備えてキャンセルスイッチ１４ａを設けてもよい。すなわち、扉が施錠されるまでの所定時間（図２の１０１）内にキャンセルスイッチ１４ａが操作されると、自動施錠、自動通報はされず、その後、例えば利用者の意思による通報やパソコン利用等が可能となる。
【００２８】
また、セキュリティボックスＡは電話ボックス大の大きさであるため、近年減少しつつある電話ボックスの跡地を有効に利用することもできる。
【００２９】
本発明の緊急避難用セキュリティボックスは、図１で示した電話ボックスタイプのものに限らず、さらに広い空間を有したものでもよい。
【００３０】
図３、図４には、他の緊急避難用セキュリティボックスＢ、Ｃの斜視図を示している。
【００３１】
これらのセキュリティボックスＢ、Ｃは、電話ボックスを２つ並べた程度の大きさであって、入出扉ロック、緊急通報、警報ランプ点灯などの基本動作が可能な各構成要素を備えている。なお、図１の構成要素ａ、１ａ、２ａ・・・に対応するものには、符号ｂ、１ｂ、２ｂ・・・（図３）、ｃ、１ｃ、２ｃ・・・（図４）を付している。
【００３２】
このようなセキュリティボックスＢ、Ｃは、緊急避難として用いられるだけではなく、ビジネスマンの外出時での仕事が可能なビジネスステーションとしても利用できる。
【００３３】
セキュリティボックスＢ、Ｃには、例えばプリペイド式の利用者専用カードのカードリーダー１０ｂ、１０ｃやパスワード入力用のテンキー１１ｃが設けられており、このカード操作して入室した場合には、ビジネスステーションとして機能する。その場合、荷重センサー６ｂ、６ｃによる扉自動施錠や通報スイッチ１ｂ、１ｃによる通報は作動しないようにし、無人になったときに元に戻るようにしてもよい。
【００３４】
図６のセキュリティボックスＣには、専用カードの販売機１２ｃ、ボックス内を監視するためのモニター装置１３ｃ、キャンセルスイッチ１４ｃも設置されている。
【００３５】
ここで、キャンセルスイッチ１４ｃは、カードを持たない人がボックスを利用するために設置されたもので、ボックス内に入り込んだ後、所定時間内にキャンセルスイッチ１４ｃを操作すれば入出扉２ｃの自動施錠は行わず、操作しなければ自動的に施錠するようにしている。
【００３６】
なお、専用カードによらない利用は無料で開放することとなるが、専用カードによる利用と差別化するために利用できる機能を制限してもよい。また、専用カードによる有料のビジネスステーションとしての利用を認めず、キャンセルスイッチ１４ｃ操作による無料利用のみを認めるようにしてもよい。
【００３７】
また、セキュリティボックスＢ、Ｃには、携帯電話機の充電装置９ｂ、９ｃを設置している。電子情報機器や電気自動車など他のエネルギー補給手段を設けてもよい。すなわち、これらのボックスＢ、Ｃは、外出中の営業マンのエネルギー補給ステーションとしても利用できる。
【００３８】
また、以上に説明した緊急避難用セキュリティボックスＡ、Ｂ、Ｃに設けられたディスプレイ装置３ａ、３ｂ、３ｃは、操作により、近隣の商業地図が画面表示される。
【００３９】
図５、図６には、画面表示された商業地図の一例を示している。
【００４０】
この画面では、ジャンル、電話番号、住所等により検索表示が可能で、初期表示では、セキュリティボックスの位置（図中の「＋」表示）を中心とした地図が表示され（図５）、検索条件Ｓを入力すると、検索対象の所在が地図上に表れるとともに、明細Ｄが表示される（図６）。
【００４１】
避難時に家族などへ連絡する場合に、地図を見ながら居場所を知らせることができるとともに、単なる飲食店などの所在探索としても活用できる。
【００４２】
図７は、緊急避難用セキュリティボックスを通信ネットワークに接続して利用できるようにした緊急通報ネットワークシステムのシステム系統図である。
【００４３】
このシステムは、緊急セキュリティサービスセンターＣがネットワークに接続されており、各ボックスの通報を一元的に監視し、監視員を配置して、ボックス側との通話を可能にしている。
【００４４】
上記のセキュリティボックスＡ、Ｂ、Ｃでは、緊急通報手段として通報スイッチを示したが、これに限定されず、図４に示す電話１ｃ´やテレビ電話、電話ボックスに設置されているワンタッチ式の警察、救急連絡ボタンなどであってもよい。
【００４５】
【発明の効果】
以上の説明からも理解できるように、請求項１に記載の緊急避難用セキュリティボックスは、逃げ込んだときに入出扉が自動的にロックされる構造となっているので、外部からの侵入を防止することができる。また、通報スイッチなどの緊急通報手段を備えているので、迅速にサービスセンターに通報でき救助を依頼することができる。
【００４６】
また、減少する電話ボックスの跡地を有効に利用することができ、また、電話ボックスそのものを改造して、再生利用することもできる。
【００４７】
さらに、本発明の緊急避難用セキュリティボックスは、パソコン等を設置すれば、ビジネスマンの一時的なスモールオフィスとして活用することもできる。
【００４８】
請求項２では、キャンセルスイッチを設けているので、入出扉の自動施錠や自動通報を禁止することができ、その結果、利用者の意思による通報やその他の自由利用が可能となる。
【００４９】
請求項３では、自動施錠されると同時に自動的に通報されるので、迅速かつ確実な通報が行える。
【００５０】
請求項４では、携帯電話等の充電装置を備えているので、緊急避難以外の一般の携帯電話利用者等にも利用させることができる。
【００５１】
請求項５では、近隣商業地図を検索表示できるようにしているので、家族などに地図を見ながら正確な避難場所を知らせることができる。また、単なる飲食店などの所在探索にも利用できる。
【００５２】
請求項６では、警報ランプや警報音を出力しているので、周辺への報知や犯人の撃退も可能となる。
【００５３】
請求項７では、緊急事態の種別によって警報ランプや警報音の出力態様を変えているため、周囲ではその態様により、どのような事態が発生しているかを的確に把握することができる。
【００５４】
請求項８では、強化ガラスを利用しているので、外部が一望でき、閉塞感がなく、かつ犯人に割られる心配もなく、逃げ込んだ者に安心感を与えることができる。
【図面の簡単な説明】
【図１】本発明の緊急避難用セキュリティボックスの構成例を示す斜視図である。
【図２】緊急通報操作時の基本動作のフローチャートである。
【図３】本発明の緊急避難用セキュリティボックスの他例を示す斜視図である。
【図４】本発明の緊急避難用セキュリティボックスのさらに他例を示す斜視図である。
【図５】商業地図の画面表示（検索前）例を示す図である。
【図６】商業地図の画面表示（検索後）例を示す図である。
【図７】本願発明の緊急避難用セキュリティボックスを通信ネットワークに接続して利用できるようにした緊急通報ネットワークシステムのシステム系統図である。
【符号の説明】
Ａ、Ｂ、Ｃ          緊急避難用セキュリティボックス
ａ、ｂ、ｃ          扉開閉制御手段
１ａ、１ｂ、１ｃ    緊急通報手段
２ａ、２ｂ、２ｃ    入出扉
３ａ、３ｂ、３ｃ    パソコン装置
４ａ、４ｂ、４ｃ    電子ブザー付き回転式警報ランプ
５ａ、５ｂ、５ｃ    強化ガラス面
６ａ、６ｂ、６ｃ    荷重センサー（人体検知手段）
１４ａ、１４ｃ      キャンセルスイッチ
Ｍ                  セキュリティサービスセンター
【図１】
2004259192.tif 000003
【図２】
2004259192.tif 000004
【図３】
2004259192.tif 000005
【図４】
2004259192.tif 000006
【図５】
2004259192.tif 000007
【図６】
2004259192.tif 000008
【図７】
2004259192.tif 000009